(57)【要約】【課題】山芋の栽培における作業負担を軽減できるとともに生産効率を向上させることができる山芋栽培具および山芋栽培方法を提供する。【解決手段】山芋栽培具１００は、栽培容器１１０と容器支持体１２０とを備えている。栽培容器１１０は、一方の端部が開口して開口部１１１を有するとともに、他方の端部が閉塞されて底部１１２を構成して全体として可撓性を有する長尺の袋状に形成されている。また、栽培容器１１０の開口部１１１側の端部には貫通孔状の連結部１１３を介して紐状の吊り具１１４が設けられている。容器支持体１２０は、地面から起立する４つの支持柱１２１上に格子状に形成された吊下げ支持体１２２が設けられて構成されている。吊下げ支持体１２２には、栽培容器１１０を地面上で吊下げた状態で保持するＳ字状の吊り金具１２３が設けられている。【選択図】  図１
2017143781.tif 000002
【特許請求の範囲】
【請求項１】
山芋を土とともに収納可能な筒状に形成されて、一方の端部に開口部が形成されるとともに他方の端部に前記土が漏れない程度に閉塞された底部が形成された栽培容器と、
前記栽培容器全体を地上にて前記開口部を上方に向けた姿勢で保持する容器支持体とを備えることを特徴とする山芋栽培具。
【請求項２】
請求項１に記載した山芋栽培具において、
前記容器支持体は、
前記栽培容器を吊るした状態で支持することを特徴とする山芋栽培具。
【請求項３】
請求項１または請求項２に記載した山芋栽培具において、
前記栽培容器は、
シート材を長尺の袋状に形成して構成されていることを特徴とする山芋栽培具。
【請求項４】
請求項３に記載した山芋栽培具において、
前記栽培容器は、
長手方向に開閉具を備えて開閉可能に形成されていることを特徴とする山芋栽培具。
【請求項５】
請求項２ないし請求項４のうちのいずれか１つに記載した山芋栽培具において、
前記栽培容器は、
前記開口部側に同開口部分に沿って少なくとも２つの連結部を有するとともに、これらの連結部に取り付けられた紐体を介して前記容器支持体に支持されていることを特徴とする山芋栽培具。
【請求項６】
請求項２ないし請求項４のうちのいずれか１つに記載した山芋栽培具において、
前記容器支持体は、
前記吊るした状態で支持する前記栽培容器の上方に水平方向に延びる棒状、網状または格子状に形成されていることを特徴とする山芋栽培具。
【請求項７】
山芋を栽培するための山芋栽培具であって、
山芋を土とともに収納可能な筒状に形成されて、一方の端部に開口部が形成されるとともに他方の端部に前記土が載れない程度に閉塞された底部が形成された栽培容器を備え、
前記栽培容器は、
同栽培容器を前記開口部を上方に向けた姿勢で吊るすための吊り具が連結される連結部を有することを特徴とする山芋栽培具。
【請求項８】
山芋を栽培する栽培方法であって、
山芋を土とともに収納可能な筒状に形成されて、一方の端部が開口するとともに他方の端部が前記土が漏れない程度に閉塞された栽培容器を用意する工程と、
前記栽培容器内に前記山芋の種芋またはムカゴを前記土とともに収容する工程と、
前記山芋の種芋または前記ムカゴを収容した前記栽培容器全体を地上にて前記開口する側を上方に向けた姿勢で前記山芋を栽培する工程とを含むことを特徴とする山芋の栽培方法。
【請求項９】
請求項８に記載の山芋の栽培方法において、
前記山芋を栽培する工程は、
前記栽培容器を地面上に吊るした状態で行うことを特徴とする山芋の栽培方法。
【発明の詳細な説明】
【技術分野】
【０００１】
本発明は、自然薯、長芋または大和芋などの山芋を栽培するための山芋栽培具および山芋の栽培方法に関する。
【背景技術】
【０００２】
従来から、自然薯、長芋または大和芋などの山芋を栽培するための山芋栽培具が知られている。例えば、下記特許文献１には、自然薯を土とともに収容する横長の袋状に形成されて土中に略水平方向に埋設される山芋栽培具が開示されている。
【先行技術文献】
【特許文献】
【０００３】
【特許文献１】特開２０１３−１１７１５１号公報  しかしながら、上記特許文献１に記載された山芋栽培具においては、山芋を畑の土中で栽培するため、栽培する山芋ごとに山芋栽培具を埋設する穴を掘る作業、山芋の収穫時に山芋栽培具を掘り出す作業および栽培中における除草作業が必要であり作業負担が大きいとともに、栽培による土質の変化によって次のシーズンに新たな山芋を連続して栽培する所謂連作が行なえず生産効率が低いという問題がある。また、従来の山芋栽培具においては、山芋栽培具を畑の表層に水平方向に埋設するため、１本の山芋が占有する畑の表面積が大きく畑の使用効率が低い、すなわち、山芋の生産効率が低いという問題もあった。
【０００４】
本発明は上記問題に対処するためなされたもので、その目的は、山芋の栽培における作業負担を軽減できるとともに生産効率を向上させることができる山芋栽培具および山芋栽培方法を提供することにある。
【発明の概要】
【０００５】
上記目的を達成するため、本発明の特徴は、山芋を土とともに収納可能な筒状に形成されて、一方の端部に開口部が形成されるとともに他方の端部に土が漏れない程度に閉塞された底部が形成された栽培容器と、栽培容器全体を地上にて開口部を上方に向けた姿勢で保持する容器支持体とを備えることにある。
【０００６】
このように構成した本発明の特徴によれば、山芋栽培具は、山芋を収容する栽培容器全体を地上に配置して栽培するため、畑を掘り越す作業、栽培容器を埋め戻す作業、および畑の除草作業を行う必要がないとともに連作障害も無関係に山芋を栽培することができる。また、本発明に係る山芋栽培具は、容器支持体が栽培容器を開口部を上方に向けた姿勢で支持して山芋を栽培するため、１本の山芋が占有する畑の表面積を少なくすることができ畑の使用効率を向上させることができる。これらの結果、本発明に係る山芋栽培具によれば、山芋の栽培における作業負担を軽減できるとともに生産効率を向上させることができる。また、本発明に係る山芋栽培具においては、栽培容器を吊り下げた状態で山芋を栽培するため地面が不要であり、畑以外の場所、例えば、駐車場、公園、公共施設などの建物内でも山芋を栽培することが可能である。
【０００７】
また、本発明の他の特徴は、前記山芋栽培具において、容器支持体は、栽培容器を吊るした状態で支持することにある。
【０００８】
このように構成した本発明の他の特徴によれば、山芋栽培具は、容器支持体が栽培容器を吊るした状態で支持するため、栽培容器を地面に載置して栽培する方法に比べて地面からの温度や湿度の影響のほか、モグラなどの害獣、雑草または水溜りの影響を受けることなく山芋を好適な環境で栽培することができる。
【０００９】
また、本発明の他の特徴は、前記山芋栽培具において、栽培容器は、シート材を長尺の袋状に形成して構成されていることにある。
【００１０】
このように構成した本発明の他の特徴によれば、山芋栽培具は、栽培容器がシート材を長尺の袋状に形成して構成されているため、栽培容器の保管や運搬、栽培容器内に土を詰める作業および栽培容器内から山芋を取り出す作業が容易となり、山芋の栽培の作業負担を軽減することができる。また、山芋栽培具は、栽培容器を軽量化できるため容器支持体に保持させる栽培容器を増やすことができ、山芋の生産効率を向上させることができる。
【００１１】
また、本発明の他の特徴は、前記山芋栽培具において、栽培容器は、長手方向に開閉具を備えて開閉可能に形成されていることにある。
【００１２】
このように構成した本発明の他の特徴によれば、山芋栽培用具は、栽培容器が長手方向に開閉具を備えて開閉可能に形成されているため、栽培容器内に土を詰める作業および栽培容器内から山芋を取り出す作業が容易となり、山芋の栽培の作業負担を軽減することができる。なお、栽培容器に設ける開閉具としては、栽培容器の長手方向に沿ってボタン、ホック、ファスナ（点ファスナ、線ファスナおよび面ファスナ）などを採用することができる。
【００１３】
また、本発明の他の特徴は、前記山芋栽培具において、栽培容器は、開口部側に同開口部分に沿って少なくとも２つの連結部を有するとともに、これらの連結部に取り付けられた紐体を介して容器支持体に支持されていることにある。
【００１４】
このように構成した本発明の他の特徴によれば、山芋栽培具は、栽培容器が開口部側に同開口部に沿って少なくとも２つの連結部を有するとともに、これらの連結部に取り付けられた紐体を介して容器支持体に支持されているため、容器支持体に吊るされた栽培容器の回転を防いで山芋の蔓や葉を損傷することなく安定的に栽培することができる。
【００１５】
また、本発明の他の特徴は、山芋栽培具において、山芋栽培具において、容器支持体は、吊るした状態で支持する栽培容器の上方に水平方向に延びる棒状、網状または格子状に形成されていることにある。
【００１６】
このように構成した本発明の他の特徴によれば、山芋栽培具は、容器支持体が栽培容器の上方に水平方向に延びる棒状または網状に形成されているため、栽培容器から延びる山芋の蔓を栽培容器の上方で生育させて自然の環境に近い環境で栽培することができるとともに、蔓が栽培容器自体またはその周辺に繁茂して栽培作業の作業性を低下させることを防止することができる。また、この山芋栽培具によれば、蔓が下垂して生長することが防止されるためムカゴの結実を抑制することができ、山芋の生長を促進させることができる。
【００１７】
また、本発明の特徴は、山芋を栽培するための山芋栽培具であって、山芋を土とともに収納可能な筒状に形成されて、一方の端部に開口部が形成されるとともに他方の端部に土が載れない程度に閉塞された底部が形成された栽培容器を備え、栽培容器は、同栽培容器の開口部を上方に向けた姿勢で吊るすための吊り具が連結される連結部を有することにある。
【００１８】
このように構成した本発明の特徴によれば、山芋栽培具は、山芋を収容する栽培容器に吊り具が連結される連結部が形成されているため、栽培容器を地面上で吊った状態で山芋を栽培することができ、栽培容器を地面に載置して栽培する方法に比べて地面からの温度や湿度の影響のほか、モグラなどの害獣、雑草または水溜りの影響を受けることなく山芋を好適な環境で栽培することができる。
【００１９】
また、本発明は、山芋栽培具の発明として実施できるばかりでなく、山芋を栽培する栽培方法の発明としても実施できるものである。
【００２０】
具体的には、山芋を栽培する栽培方法は、山芋を土とともに収納可能な筒状に形成されて、一方の端部が開口するとともに他方の端部が土が漏れない程度に閉塞された栽培容器を用意する工程と、栽培容器内に山芋の種芋またはムカゴを土とともに収容する工程と、山芋の種芋またはムカゴを収容した栽培容器全体を地上にて前記開口する側を上方に向けた姿勢で山芋を栽培する工程とを含むようにすればよい。また、この場合、前記山芋の栽培方法において、山芋を栽培する工程は、栽培容器を地面上に吊るした状態で行うとよい。このように構成した山芋の栽培方法によれば、上記山芋栽培具と同様の作用効果を期待することができる。
【図面の簡単な説明】
【００２１】
【図１】本発明の一実施形態に係る山芋栽培具の外観構成の概略を示す斜視図である。
【図２】図１に示した山芋栽培具における栽培容器の外観構成の概略を示す斜視図である。
【図３】図１に示す栽培用具の内部構造および山芋を栽培する過程を説明するための栽培用具の縦断面図である。
【図４】図２に示す栽培容器における表面の構成を示すために表面の一部を拡大して示した表面拡大図である。
【図５】図１に示す山芋栽培具で山芋を栽培する過程において蔓が繁茂した状態を示す斜視図である。
【図６】図２に示す栽培容器の側部を切り裂いて山芋を取り出す過程を示した斜視図である。
【図７】本発明の変形例に係る栽培容器外観構成の概略を示す正面図である。
【図８】本発明の他の変形例に係る栽培容器外観構成の概略を示す正面図である。
【図９】本発明の他の変形例に係る山芋栽培具の外観構成の概略を示す斜視図である。
【発明を実施するための形態】
【００２２】
以下、本発明に係る山芋栽培具および山芋の栽培方法の一実施形態について図面を参照しながら説明する。図１は、本発明に係る山芋の栽培方法に用いる山芋栽培具１００の外観構成の概略を示した斜視図である。また、図２は、図１に示す山芋栽培具１００における栽培容器１１０の外観構成の概略を示した斜視図である。また、図２は、図１に示す栽培容器１１０の内部構造および山芋Ｙを栽培する過程を説明するための栽培容器１１０の縦断面図である。この山芋栽培具１００は、自然薯、長芋または大和芋などの山芋Ｙを栽培するための農業用具である。
【００２３】
（山芋栽培具１００の構成）
山芋栽培具１００は、主として、栽培容器１１０および容器支持体１２０を備えている。栽培容器１１０は、山芋Ｙの種芋（ムカゴを含む）ＳＴまたは幼苗を土とともに収容して山芋Ｙとして収穫できる程度まで生育させるための栽培槽を構成する物品であり、筒状体の一方の端部が開口するとともに他方の端部が閉塞した有底筒状に形成されている。すなわち、栽培容器１１０は、収穫できる程度の大きさの山芋Ｙを収容することができる太さおよび長さに形成されている。本実施形態においては、栽培容器１１０は、正面視で１５０ｍｍ×１０００ｍｍの長方形状に形成されている。なお、図２においては、山芋Ｙの蔓Ｖを二点鎖線で示している。
【００２４】
この栽培容器１１０は、図３に示すように、樹脂製（例えば、ポリプロピレン樹脂製）の繊維を網代状に織った平面視で長方形状のシート材を二つ折りにした後、長辺および１つの短辺の各合わせ目をそれぞれ溶着により接合して構成されている。すなわち、栽培容器１１０は、一方の端部が開口して開口部１１１を有するとともに、他方の端部が閉塞されて底部１１２を構成して全体として可撓性を有する長尺の袋状に形成されている。この場合、栽培容器１１０は、透光性および透水性を有する材料で構成してもよいが、本実施形態においては、遮光性および不透水性を有して構成されている。また、栽培容器１１０は、何色で構成されていてもよいが、遮光性および保温性を高めるために黒色系で構成するとよい。
【００２５】
栽培容器１１０における開口部１１１側の端部には、連結部１１３が形成されている。連結部１１３は、容器支持体１２０から下垂する吊り具１１４に連結される部分であり、吊り具１１４を通すことができる貫通孔によって構成されている。より具体的には、連結部１１３は、栽培容器１１０を構成するシート材に形成した貫通孔の縁部分に金属製（例えば、アルミニウム材やステンレス材）のリング体を嵌め込んで構成されている。この連結部１１３は、栽培容器１１０を構成する互いに対向する２枚のシート材において互いに対向する位置に形成されている。また、連結部１１３は、開口部１１１に沿って２つの貫通孔が互いに離れて、換言すれば、栽培容器１１０の上辺における中央部に対して両端部側にそれぞれ離れて形成されている。
【００２６】
吊り具１１４は、栽培容器１１０を容器支持体１２０の下方に吊り下げるためものであり、紐状に延びて形成されている。この場合、吊り具１１４は、容器支持体１２０の下方の栽培容器１１０の配置位置に応じた長さに形成される。この吊り具１１４は、布材や天然繊維材など各種材料で構成することができるが、本実施形態においては樹脂材（例えば、ポリプロピレン樹脂）によって構成されている。
【００２７】
容器支持体１２０は、栽培容器１１０を地面上で吊り下げた状態で支持するための構造体であり、主として、支持柱１２１と吊下げ支持体１２２とで構成されている。支持柱１２１は、吊下げ支持体１２２を地面上における所定の高さ、すなわち、栽培容器１１０を地面上で吊り下げることができる高さに支持する部品であり、地面上から起立する柱状に形成されている。本実施形態においては、支持柱１２１は、地面上から垂直方向に起立する４つの金属製の棒体で構成されている。
【００２８】
吊下げ支持体１２２は、栽培容器１１０を地面上に吊り下げた状態で支持する部品であり、金属製の角材を格子状に組んで構成されている。本実施形態においては、吊下げ支持体１２２は、１１本の棒状に延びる角材を平面視で方形状の格子状に組んで構成されている。これにより、吊下げ支持体１２２は、複数の栽培容器１１０を同時に吊り下げた状態で保持することができる。そして、吊下げ支持体１２２は、前記４つの支持柱１２１によって水平方向に延びる姿勢で支持されている。本実施形態においては、吊下げ支持体１２２は、地面から２ｍの高さ位置に支持されている。この吊下げ支持体１２２は、吊金具１２３を介して栽培容器１１０を支持している。
【００２９】
吊金具１２３は、栽培容器１１０を吊下げ支持体１２２に対して着脱自在な状態で連結するための部品である。本実施形態においては、吊金具１２３は、金属製の棒体をＳ字状に形成した所謂Ｓ字フックで構成されている。これにより、吊金具１２３は、栽培容器１１０および吊下げ支持体１２２の双方に対して着脱自在に構成されている。
【００３０】
（山芋栽培具１００の作動）
次に、このように構成した山芋栽培具１００の作動について説明する。まず、作業者は、容器支持体１２０を用意する。具体的には、作業者は、山芋Ｙの栽培を行う場所に容器支持体１２０を構成する支持柱１２１および吊下げ支持体１２２をそれぞれ用意して容器支持体１２０を組み立てる。この場合、山芋Ｙを栽培する場所としては、畑やビニールハウス内でもよいが、これら以外の場所、庭や駐車場の空いている場所、その他の遊休地または公共施設などの建物内に設置することができる。すなわち、山芋栽培具１００は、畑以外の場所で山芋Ｙを栽培することができる。
【００３１】
次に、作業者は、栽培容器１１０、山芋Ｙの種芋ＳＴ（またはムカゴ）および山芋Ｙを栽培するための土Ｓをそれぞれ用意する。この場合、栽培容器１１０における連結部１１３には吊り具１１４が設けられている。また、作業者は、容器支持体１２０に吊るす数に対する数および量の栽培容器１１０、山芋Ｙの種芋ＳＴおよび土Ｓをそれぞれ用意する。
【００３２】
次に、作業者は、栽培容器１１０内に土Ｓを詰めるとともに、詰めた土Ｓの上層部に山芋Ｙの種芋ＳＴを植える。この場合、作業者は、土Ｓに加えて肥料や堆肥を加えてもよいことは当然である。次に、作業者は、土Ｓおよび種芋ＳＴを収容した栽培容器１１０を容器支持体１２０に保持させる。具体的には、作業者は、図４に示すように、栽培容器１１０の吊り具１１４を掛けた吊金具１２３を吊下げ支持体１２２に吊り下げる。
【００３３】
次に、作業者は、山芋Ｙの栽培を開始する。具体的には、作業者は、栽培容器１１０内に開口部１１１を介して定期的に水や肥料を供給する。また、作業者は、栽培容器１１０内に雑草が生えた場合には摘み取る。これにより、栽培容器１１０内の種芋ＳＴは、次第に新芽が出て土Ｓの表面から上方に延びるとともに、新しい根が栽培容器１１０の底部１１２に向かって伸びる。
【００３４】
栽培容器１１０内の土Ｓの表面から延びる蔓Ｖは、吊り具１１４および吊金具１２３をそれぞれ介して吊下げ支持体１２２に達する。この場合、吊下げ支持体１２２は、棒材を格子状に組んで構成されている。このため、栽培容器１１０内の土Ｓの表面から延びる蔓Ｖは、図５に示すように、吊下げ支持体１２２に絡みながら吊下げ支持体１２２に沿って繁茂する。これにより、吊下げ支持体１２２で繁茂した蔓Ｖは、吊下げ支持体１２２の下方に吊り下げられた栽培容器１１０への直射日光を遮るため、土Ｓの乾燥を防ぐことができる。
【００３５】
また、吊下げ支持体１２２が水平方向に延びて設けられているため、蔓Ｖが下垂して生長することを防止してムカゴの発生を抑制することができる。なお、ムカゴは、大量に発生するほど山芋Ｙの生長を遅らせるため、発生した場合には適宜摘み取ることが好ましい。
【００３６】
一方、栽培容器１１０内の土Ｓ内で延びる新しい根は、栽培容器１１０の底部１１２に向かって伸びつつ生長する。この栽培容器１１０内における根の生長過程において、根の一部が山芋Ｙへと生長する。そして、栽培容器１１０内にて山芋Ｙが収穫可能な程度の大きさまで生長した場合には、作業者は栽培容器１１０内から山芋Ｙを取り出す。具体的には、作業者は、図６に示すように、栽培容器１１０から延びる蔓Ｖを適当な位置で切断して栽培容器１１０を容器支持体１２０から取り外した後、カッターナイフなどの刃物Ｎを用いて栽培容器１１０の側部を切開して山芋Ｙを取り出すことができる。
【００３７】
なお、作業者は、必ずしも刃物Ｎを使用する必要はなく、栽培容器１１０の開口部１１１を下方に向ける、すなわち、栽培容器１１０を逆さにして山芋Ｙを土Ｓとともに排出させて取り出すこともできる。これによれば、作業者は、栽培容器１１０を栽培容器１１０として再利用することができるほか、栽培容器１１０を収穫した山芋Ｙの保管または輸送用の包装材として使用することもできる。
【００３８】
上記作動説明からも理解できるように、上記実施形態によれば、山芋栽培具１００は、山芋Ｙを収容する栽培容器１１０全体全体を地上に配置して栽培するため、畑を掘り越す作業、栽培容器１１０を埋め戻す作業、および畑の除草作業を行う必要がないとともに連作障害も無関係に山芋を栽培することができる。また、本発明に係る山芋栽培具１００は、容器支持体１２０が栽培容器１１０を開口部１１１を上方に向けた姿勢で支持して山芋Ｙを栽培するため、１本の山芋Ｙが占有する畑の表面積を少なくすることができ畑の使用効率を向上させることができる。これらの結果、本発明に係る山芋栽培具１００によれば、山芋Ｙの栽培における作業負担を軽減できるとともに生産効率を向上させることができる。また、本発明に係る山芋栽培具１００においては、栽培容器１１０を吊り下げた状態で山芋を栽培するため地面が不要であり、畑以外の場所、例えば、駐車場、公園、公共施設などの建物内でも山芋Ｙを栽培することが可能である。すなわち、本発明に係る山芋栽培具１００によれば、山芋Ｙの栽培場所の制限を緩和して栽培場所の選択の幅を広げることができる。
【００３９】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００４０】
例えば、上記実施形態においては、栽培容器１１０は、底部１１２を完全に閉塞して構成した。しかし、栽培容器１１０における底部１１２は、土Ｓが漏れ出ない程度に閉塞されていればよい。したがって、底部１１２は、土Ｓが漏れ出ない程度の開口部を残して閉塞、すなわち、部分的に閉塞することができる。これによれば、栽培容器１１０は、栽培容器１１０内の底部１１２に達した水を底部１１２の開口部を介して外部に排出することができるため、栽培容器１１０内に水が溜まることを防止することができる。なお、栽培容器１１０内の水を外部に排水するための開口部は、栽培容器１１０の側面に設けることもできる。
【００４１】
また、上記実施形態においては、栽培容器１１０は、吊り具１１４を介して容器支持体１２０に吊り下げた。これにより、山芋栽培具１００は、吊り具１１４の長さを調整することにより栽培容器１１０の吊下げ高さを任意の高さ位置に設定することができる。しかし、栽培容器１１０は、吊り具１１４を使用することなく、連結部１１３を直接吊金具１２３に引っ掛けることもできる。これによれば、山芋栽培具１００の構成を簡単化することができる。
【００４２】
また、上記実施形態においては、栽培容器１１０は、上下方向に延びる正面視で長方形状に形成した。しかし、栽培容器１１０は、筒状に形成されて一方の端部に開口部１１１が形成されるとともに他方の端部に閉塞された底部１１２が形成されていればよい。したがって、栽培容器１１０は、長方形以外の形状、例えば、正面視で正方形や三角形に形成することができる。また、栽培容器１１０の大きさも上記実施形態に限定されるものではなく、栽培する山芋Ｙの種類や大きさに応じて適宜決定されるものであることは当然である。
【００４３】
また、上記実施形態においては、栽培容器１１０は、樹脂製の繊維を網代状に織って構成した。しかし、栽培容器１１０は、土Ｓを保持して山芋Ｙを栽培できるように構成されていればよい。したがって、栽培容器１１０は、樹脂製の不織布やシート状に一体成形したものであってもよいし、樹脂材以外のシート体、例えば、布材、藁、樹皮または竹を用いて袋状や篭状に形成してもよい。
【００４４】
また、上記実施形態においては、栽培容器１１０は、シート材で構成することにより全体として可撓性を有し人手によって容易に変形可能な袋体に構成した。しかし、栽培容器１１０は、剛性を有する材料、例えば、樹脂材（例えば、塩ビ管）や金属材を用いて有底筒状に形成して構成することもできる。
【００４５】
また、上記実施形態においては、栽培容器１１０は、開口部１１１側の端部に４つの連結部１１３を設けた。これにより、栽培容器１１０は、容器支持体１２０に吊り下げた場合に回転することを防止して蔓Ｖが損傷することを防止することができる。しかし、栽培容器１１０は、開口部１１１の形成方向中央部を挟んで少なくとも２つの連結部１１３を形成することにより栽培容器１１０の回転を防止することができる。また、栽培容器１１０は、少なくとも１つの連結部１１３を備えることで容器支持体１２０に吊り下げることができる。
【００４６】
また、上記実施形態においては、栽培容器１１０における連結部１１３は、貫通孔で構成した。しかし、連結部１１３は、容器支持体１２０に吊り下げることができるように構成されていればよい。したがって、連結部１１３は、貫通孔以外で構成、例えば、鉤状のフックで構成することもできる。また、連結部１１３は、栽培容器１１０を構成するシート材自体、または同シート材に貼り付けた補強シート材で構成することができる。この場合、山芋栽培具１００は、吊金具１２３を釣り針のように先端部が尖った鉤状に形成して連結部１１３に刺し通すことで栽培容器１１０を保持するように構成することもできる。
【００４７】
また、上記実施形態においては、作業者は、栽培容器１１０における側面を刃物Ｎで切開することにより山芋Ｙを取り出した。しかし、栽培容器１１０は、開口部１１１と底部１１２との間の側面部分の全部または一部を開閉自在に構成することもできる。
【００４８】
具体的には、栽培容器１１０は、例えば、図７に示すように、栽培容器１１０の側面に深さ方向に沿って開閉具１３０を設けることができる。この場合、開閉具１３０としては、ボタン、ホック、ファスナ（点ファスナ、線ファスナおよび面ファスナ）などを採用することができる。なお、図７においては、開閉具１３０としてホックを採用した栽培容器１１０を示している。この場合、開閉具１３０は、栽培容器１１０の側面における開口部１１１側から底部１１２に達するまで設けてもよいが、底部１１２に達しない範囲、換言すれば、側部における底部１１２側を閉塞した状態で設けることもできる。これによれば、栽培容器１１０は、底部１１２側に溜まった水の圧力によって開閉具１３０が開くことを防止することができる。なお、図７は、栽培容器１１０を開いた状態を示している。
【００４９】
また、栽培容器１１０は、例えば、図８に示すように、栽培容器１１０の周方向の構成を巻きスカートのように構成、すなわち、栽培容器１１０の周方向を構成するシート材の長さをシート材が周方向で重なる程度に長く形成することにより、開閉具１３０を設けることなく栽培容器１１０の側部を開閉自在に構成することができる。なお、図８は、栽培容器１１０における開口部１１１側を開いた状態を示している。
【００５０】
また、上記実施形態においては、容器支持体１２０は、吊下げ支持体１２２を棒体を格子状に組んで構成した。これにより、容器支持体１２０は、吊下げ支持体１２２が栽培容器１１０を支持するとともに蔓Ｖも支持して繁茂させることができる。しかし、容器支持体１２０は、栽培容器１１０を支持する構成と蔓Ｖを支持する構成を別体に構成することもできる。例えば、容器支持体１２０は、吊下げ支持体１２２を支持柱１２１で支持されて栽培容器１１０を吊下げるフックで構成するとともに、その周囲に蔓Ｖを絡ませるための棒体や、ネットなどの網状体または格子状体を設けて構成することもできる。
【００５１】
また、上記実施形態においては、吊下げ支持体１２２は、水平方向に延びる姿勢で設けた。しかし、吊下げ支持体１２２は、水平方向に延びつつ上方または下方に傾斜した姿勢で設けることもできる。
【００５２】
また、上記実施形態においては、山芋栽培具１００は、容器支持体１２０を栽培容器１１０を吊るして支持する専用のものとして構成した。しかし、容器支持体１２０は、栽培容器１１０を吊るした状態で支持することができればよい。したがって、山芋栽培具１００は、物干し竿、家屋の軒先、カーポートまたは藤棚など他の農作物の棚などを容器支持体１２０として利用することができる。
【００５３】
また、上記実施形態においては、容器支持体１２０は、栽培容器１１０を地面から完全に浮いた状態で支持するように構成した。しかし、容器支持体１２０は、栽培容器１１０の底部１１２が地面に接するまたは地面上にも支持される状態で支持するように構成することもできる。これによれば、容器支持体１２０は、吊った状態の栽培容器１１０の揺れを防止することができ、蔓Ｖや容器支持体１２０の損傷を防止することができる。
【００５４】
また、上記実施形態においては、容器支持体１２０は、複数の栽培容器１１０を吊るした状態で支持するように構成した。しかし、容器支持体１２０は、少なくとも１つの栽培容器１１０を吊るすように構成されていればよい。
【００５５】
また、上記実施形態においては、山芋栽培具１００は、栽培容器１１０を地面上で吊るした状態で支持した。しかし、山芋栽培具１００は、地面上に置いて栽培することもできる。具体的には、山芋栽培具１００は、例えば、図９に示すように、容器支持体１４０と蔓支持体１５０とで構成することができる。
【００５６】
容器支持体１４０は、地面上に載置される栽培容器１１０を起立した状態で支持するものであり、金属製の棒体を平面視で柵状または枠状に構成されている。また、蔓支持体１５０は、栽培容器１１０から延びる蔓Ｖを支持するためのものであり、上方に向かって伸びて設けられたネットで構成されている。このように構成した山芋栽培具１００によれば、栽培容器１１０を吊るす必要がないため、山芋栽培具１００を簡単に構成することができる。
【符号の説明】
【００５７】
Ｙ…山芋、Ｓ…土、ＳＴ…種芋、Ｖ…蔓、Ｎ…刃物、
１００…山芋栽培具、
１１０…栽培容器、１１１…開口部、１１２…底部、１１３…連結部、１１４…吊り具、
１２０…容器支持体、１２１…支持柱、１２２…吊下げ支持体、１２３…吊金具、
１３０…開閉具、
１４０…栽培容器、
１５０…蔓支持体。
【図１】
2017143781.tif 000003
【図２】
2017143781.tif 000004
【図３】
2017143781.tif 000005
【図４】
2017143781.tif 000006
【図５】
2017143781.tif 000007
【図６】
2017143781.tif 000008
【図７】
2017143781.tif 000009
【図８】
2017143781.tif 000010
【図９】
2017143781.tif 000011